(57)【特許請求の範囲】
【請求項１】
受信された光信号に基いて操作される電子装置において、
前記電子装置本体の外装部材を構成する透光性を有する透光性部材と、
前記光信号を受光して電気信号に変換する受光素子と、を有し、
前記透光性部材に設けられる前記光信号の取込部と、該取込部に入射した前記光信号を前記受光素子に導く導光部とを備え、
前記取込部と前記導光部とを前記透光性部材に一体に設ける
ことを特徴とする電子装置。
【請求項２】
請求項１記載の電子装置において、
前記導光部を、
略直方体をなす四角柱部と、断面が直角三角形をなす第１の三角柱部と、第２の三角柱部とから構成し、
前記第１の三角柱部の断面直角三角形の直角頂角に隣れる２辺に対応する第１及び第２の側面の、第１の側面に前記四角柱部の底面を一体に設け、第２の側面に前記第２の三角柱部の一頂角に対向する斜辺に対応する斜面を一体に設け、
前記四角柱部の前面に対し、前記第２の三角柱部の前記一頂角に対応する稜線を、平行かつ突設した
ことを特徴とする電子装置。
【請求項３】
請求項２記載の電子装置において、
前記第１の三角柱部の断面を直角二等辺三角形とし、前記第１の三角柱部の第１の側面と前記四角柱部の底面とを略同じ大きさとし、
前記第２の三角柱部の断面を直角三角形とし、前記一頂角を直角とした
ことを特徴とする電子装置。
【請求項４】
請求項２記載の電子装置において、
前記導光部の前記四角柱部の前面から突設された前記第２の三角柱部の前記稜線の側から、前記光信号を投光する
ことを特徴とする電子装置。
【請求項５】
請求項４記載の電子装置において、
前記透光性部材が平板形状とされ、前記透光性部材に一体に形成される前記導光部の前記四角柱部を、
前記透光性部材の一面に対し、前記四角柱部の前記前面を略平行かつ前記一面の板厚さ方向に所定量セットバックし、前記四角柱部の背面を前記透光性部材の他面から突設するように形成した
ことを特徴とする電子装置。
【請求項６】
請求項１記載の電子装置において、
三角柱が横設された前記取込部を、前記光信号の投光側となる前記透光性部材の前面に突設し、
前記導光部を、略直方体をなす四角柱部と該四角柱部の下面に配される断面が直角三角形をなす第１の三角柱部とから構成し、前記第１の三角柱部の断面直角三角形の直角頂角に隣れる２辺に対応する第１及び第２の側面の、第１の側面に前記四角柱部の底面を一体、かつ第２の側面を前記四角柱部の前面と面一に設け、
前記取込部と対向する前記透光性部材の背面に、前記第１の三角柱部を配するように接合した
ことを特徴とする電子装置。
【請求項７】
表示部の周囲に透光性部材による外装部材を有し、かつ受信した光信号に基づいて操作される映像表示装置において、
前記光信号を受光して電気信号に変換する受光素子を備え、
前記透光性部材に設けられる前記光信号の取込部と、該取込部に入射した前記光信号を前記受光素子に導く導光部とを備え、
前記取込部と前記導光部とを前記透光性部材に一体に設ける
ことを特徴とする映像表示装置。
【発明の詳細な説明】
【技術分野】
【０００１】
本発明は、光信号に基づいて操作される、例えば液晶パネルやＰＤＰ（Plasma Display Panel:プラズマディスプレイパネル）などを使用したフラットパネルディスプレイやフラットパネルカラーテレビジョン受像機などの電子装置に関する。
【背景技術】
【０００２】
近年、テレビジョン受像機、ビデオテープレコーダ、ハードディスクレコーダなどの電子機器には、これらの電子機器を離れたところから操作を行うための、いわゆるリモートコントロール機能を備えたものが多く市場に投入されている。リモートコントロール機能を使用できるようにした電子機器では、赤外線などによる光信号を受光する受光窓を電子機器に設ける必要がある。そして、この受光窓は、通常電子機器の前面に設けられ、ユーザーから見える位置に配置されるので、電子機器の外観のデザインを左右する。このため通常は、電子機器の外観のデザイン性を損なわないように、受光窓を小さくしたり、受光窓を他の部分と同じ色に着色するなどして、目立たないようにすることが行われる。
【０００３】
従来知られている光信号に基づいて操作される電子装置として特許文献１に開示されているものがある。
この特許文献１に記載されている電子装置は、受信した光信号に基づいて操作される電子装置であって、電子装置本体の外装部材の一部を構成し透光性を有する透光性部材と、外装部材によって覆われ光信号を受光して電気信号に変換する受光部と、透光性部材に入射する光信号を受光部へ導く導光手段とを有するものである。
そして、外装部材の一部を構成する透光性部材が光信号の取り込み口として使用され、外観のデザイン性を保つようにしている。
【特許文献１】特開２００５−７３１３２号公報（第２頁，図３）
【発明の開示】
【発明が解決しようとする課題】
【０００４】
ＰＤＰや液晶パネルなどを使用したフラットパネルディスプレイ、フラットパネルカラーテレビジョン受像機などの映像表示装置では、大面積で平板状の透光性部材を有するフロント組立体を前面に設け、この透光性部材に社名や商標などの文字や記号を印刷し、この透光性部材の一側からこの透光性部材の内部に複数の光源により投光し、この光により文字や記号を照明して、これらがあたかも空中に浮いて光っているように見えるようにデザインされたものが提案されている。
しかしながら、このように前面が透光性部材とされたフロント組立体には、特許文献１に記載の電子装置による光信号の取込口を採用できない不都合がある。
すなわち、この電子装置では、光信号を反射して受光部に導くためにアルミニウムなどの金属蒸着膜による反射面が一条の筋として見えるようにされているため、デザインの面から採用できない。また、この電子装置では、外装部材のうち前面パネルとなる枠体の大部分が非透光性部材で構成され、枠体の一部に透光性部材による光信号取込口が設けられるが、リモートコントロール装置を液晶パネルの右側で受光部に対応する正面方向から操作するときは所望の動作を電子装置にさせることはできるが、この位置から外れると操作するに十分な光信号が受光部に到達せず、実際上使用しにくいという不都合がある。
【０００５】
本発明はかかる点に鑑み、光信号の受光に好適で透光性部材のみからなる取込部と導光部を有する電子装置及びこの電子装置を適用した映像表示装置を提案するものである。
【課題を解決するための手段】
【０００６】
上記課題を解決するため、本発明は、受信された光信号に基いて操作される電子装置において、電子装置本体の外装部材を構成する透光性を有する透光性部材と、光信号を受光して電気信号に変換する受光素子と、を有し、透光性部材に設けられる光信号の取込部と、この取込部に入射した光信号を受光素子に導く導光部とを備え、取込部と導光部とを透光性部材に一体に設けたものである。
【０００７】
また、上記課題を解決するため、本発明は、表示部の周囲に透光性部材による外装部材を有し、かつ受信した光信号に基づいて操作される映像表示装置において、光信号を受光して電気信号に変換する受光素子を備え、透光性部材に設けられる光信号の取込部と、この取込部に入射した光信号を受光素子に導く導光部とを備え、取込部と導光部とを透光性部材に一体に設けたものである。
【０００８】
このように構成した本発明電子装置及び映像表示装置によれば、透光性部材自体に一体に形成された取込部に光信号が投光されると、この取込部に入射した光が導光部に導かれ、この導光部内面で反射して受光素子に到達するので、光による操作信号を受光素子に伝えることができる。
【発明の効果】
【０００９】
本発明電子装置及び映像表示装置によれば、前面に透光性部材を有するフロント組立体のデザイン性を損なうことなく、光信号によりユーザー所望の動作を行わせることができる。
【発明を実施するための最良の形態】
【００１０】
本発明の一実施の形態の映像表示装置の例を、図１〜図１１を参照して説明する。
図３は本例による映像表示装置の正面側から見た斜視図を示し、図４はこの映像表示装置の背面側から見た斜視図を示す。本例は液晶ディスプレイパネルに適用したものである。
【００１１】
図３において、１は前面に配されたフロント組立体を示し、２は液晶パネルの映像表示画面で、図４において、３はリアーカバーを示し、このフロント組立体１とリアーカバー３との間に図示しない液晶パネル本体、その駆動回路、チューナ部、スピーカ等が組み込まれる。
本例においては、この映像表示装置の映像表示画面を例えば４６インチとし、この奥行きを薄く作製される。
【００１２】
このフロント組立体１は、図１及び図２例に示すように構成される。図１は、このフロント組立体１の斜視図で、図２はこのフロント組立体１の前面側から見た分解斜視図である。
【００１３】
図１，図２において、１０，１１，１２は、それぞれ映像表示画面と略同じ大きさの開口を有する略左右対称の矩形の枠体である、アウターフレーム，インナーフレーム，カバーフレームを示し、フロント組立体１は、これらアウターフレーム１０，インナーフレーム１１，カバーフレーム１２及びサッシ２０から構成される。ここで、サッシ２０は、アウターフレーム１０の外縁４辺に枠状に設けられるものでサッシ辺２０ａ，２０ａ，２０ｂ，２０ｂからなる。
【００１４】
アウターフレーム１０は、図２に示すように、例えばアクリル樹脂（メタクリル酸メチル樹脂）やポリカーボネート樹脂などの透明度の大きい材料を用いて射出成形などにより略矩形透明枠形状に形成される。そして、後述するインナーフレーム１１と一体に固定するためのねじ挿通孔と、リアーカバー３を組み付けるときのねじ挿通孔とが形成される。
また、アウターフレーム１０の矩形透明枠の下枠部には、図３に示すように、略中央に社名や商標などの記号（図３例では、「ＡＢＣＤ」）１４が印刷され、右側に赤外線などによるリモートコントロール装置の光信号を受光する光信号の取込部１６とインジケータ１５が設けられる。
ここで、インジケータ１５は、電源ＯＮ／ＯＦＦ状態やタイマー設定の有無などを光スポットの有無により表示するものである。
【００１５】
インナーフレーム１１は、例えばＰＳ樹脂やＡＢＳ樹脂などの成形性の良好な材料で射出成形により形成し、枠体の図２に示す左右に、スピーカを露呈する開口１１Ｌ及び１１Ｒが一体に形成され、例えばその後塗装を施すようにしてもよい。また、アウターフレーム１０と固定するためのねじ孔と、後述するカバーフレーム１２を着脱自在に装着するための係合孔が設けられる。
カバーフレーム１２は、例えばＰＳ樹脂やＡＢＳ樹脂などの成形性が良好で形状安定性のよい材料で射出成形により、インナーフレーム１１と略同じ枠寸法に形成し、図２に示す背面の側にインナーフレーム１１と着脱自在に装着するための図示しない係合爪が設けられる。
サッシ２０は、アルミニウムなどの金属による断面が略コの字形状の、２本の長いサッシ辺２０ａ，２０ａと２本の短いサッシ辺２０ｂ，２０ｂからなり、コの字の溝部は比較的光が反射しやすい光沢面とされる。
【００１６】
このように構成されるフロント組立体１は、アウターフレーム１０にインナーフレーム１１がねじで固定され、インナーフレーム１１の係合孔にカバーフレーム１２の係合爪が挿入されることで、カバーフレーム１２がインナーフレーム１１に着脱自在に装着される。そして、矩形枠体であるアウターフレーム１０の４つの周縁にサッシ辺２０ａ，２０ａ，２０ｂ，２０ｂが固定される。なお、カバーフレーム１２のインナーフレーム１１への取付けにより、スピーカ取付部１１L，１１Rを含むインナーフレーム１１の前面側の略全面が覆われて外観上すっきりした印象を与えるようにしている。
【００１７】
本例の液晶パネルディスプレイ装置は、液晶パネル２の映像表示画面の周りに矩形枠状のカバーフレーム１２が配され、その外周にアウターフレーム１０の透明枠部が露呈され、この透明枠の外縁にサッシ２０が設けられる。このため、液晶パネル２があたかも浮遊しているような見映えを有し、かつカバーフレーム１２を着脱自在に装着できるため、例えば種々の色・模様のカバーフレーム１２を交換して容易にユーザーの好みに変更し楽しむことができる。
【００１８】
次に、液晶パネルディスプレイ装置に対してリモートコントロール装置から発せられた赤外線光の受光機構部を説明する。
この受光機構部は、上述図３に示す光信号の取込部１６とこの取込部１６に一体に設けられる導光部とからなる受光部、及び赤外線センサによる受光素子とから構成される。そして、受光部が矩形枠状をなすアウターフレーム１０の平板状の透光部材に一体に形成される（図１及び図２参照）。
【００１９】
先ず、取込部１６と導光部とからなる受光部の外観形状を図５及び図６を参照して説明する。
図５及び図６は、受光部１００が形成されている受光部形成部１０ａを示し、透光部材からなるアウターフレーム１０の受光部形成部１０ａが形成される領域を破断して示した斜視図である。図５で、図５Ａは前面から見た斜視図であり、図５Ｂは背面から見た斜視図であり、図６で、図６Ａは上面図、図６Ｂは正面図、図６Ｃは図６Ｂに示す矢視Ｒ２−Ｒ２による右側面図である。
なお、以下では、図５Ａ及びＢに示すように、アウターフレーム１０の受光部形成部１０ａでの長さ方向をｘ方向、高さ方向をｙ方向、厚さ方向をｚ方向として説明する。
【００２０】
受光部１００は、図５Ａ及びＢに示すように、矩形枠とされるアウターフレーム１０の下側の枠の受光部形成部１０ａに、アウターフレーム１０と同じ透明樹脂材料により一体に成形されるもので、前面１０-1の側に斜面１６-1，１６-2を有する凸部による光信号の取込部１６と、この取込部１６に対して幅Ｗ，奥行きＤをなす矩形断面の略四角柱部が一体に形成される。
略四角柱部は、その上面となる光の出射面１００-3が受光部形成部１０ａの上面１０-3に対し高さＨ１だけ突設されるとともに、首元となるネック部１００-5での幅Ｗに対して、この突設部の幅を上面１０-3から高くなるに従い末広がり状に形成し出射面１００-3での幅をＷ１（Ｗ１＞Ｗ）となるようにする。
また、略四角柱部は、その前面１００-1が受光部形成部１０ａの前面１０-1に対し寸法Ｔ１だけセットバックされ、背面１００-2が受光部形成部１０ａの背面１０-2に対し寸法Ｔ２だけ突設される。そして形成のとき略四角柱部の下部には、図５Ｂに示すように、傾斜面１００-4が形成される。
【００２１】
このように形成された受光機構部では、リモートコントロール装置からの赤外線が、光信号の受光部となる図５Ａに示す受光部形成部１０ａの取込部１６に向けて照射され、この取込部１６から透光性部材に入射した光が略四角柱部によって図５Ａ及びＢに示す上方の出射面１００-3に導光され、この出射面１００-3から飛び出した光が、出射面１００-3に対向して配設された後述する受光素子２００に入射して光信号を所定の電気信号に変換し、この電気信号によりユーザーが希望する操作を映像表示装置に行わせることができる。
このように映像表示装置の光信号の取込部１６に対して赤外線を照射し操作を指示するとき、できるだけ広い照射範囲に対して誤動作がないように光信号を取込むことが望まれる。
【００２２】
本例の受光機構部での光の照射方向と受光部１００内での光路について説明する。
【００２３】
先ず、本例の受光機構部で、ＸＯＹＯＺＯ座標系を次のように定める。
すなわち、基準とする受光の中心を、図６Ｃに示す透光性部材内の点Ｏ（以下、中心Ｏという）とし、上述ｚ方向に平行でこの中心Ｏを通る軸をＺ０とし、ｙ方向に平行でこの中心Ｏを通る軸をＹ０とする（図６Ｃ参照）。また、ｘ方向に平行でこの中心Ｏを通る軸をＸ０とする（図６Ｂ参照）。
そして、図６Ａに示すＸ０Ｚ０面上で軸Ｚ０の周りの中心０を中心とした範囲φと、図６Ｃに示すＹ０Ｚ０面上で軸Ｚ０の周りの中心０を中心とした範囲ψにおける光信号の照射に対し、受光素子が誤動作しない十分な光量を出射面１００-3から出射できるようにする。
ここで、φ及びψは、例えばφ＝−４５°〜４５°，ψ＝−３０°〜１５°とされ、この範囲で誤動作がないようにされる。
なお、図６Ｂに示す角度ω１はＸ０Ｙ０平面上で、中心Ｏからネック部１００-5の一端部での広がり角となるように形成される。つまり、中心Ｏから出射面１００-3までの距離をＨ２とすると、ネック部の幅（略四角柱部の幅）Ｗと出射面１００-3での幅Ｗ１は、概ね、Ｗ＝（Ｈ２−Ｈ１）×ｔａｎ（ω１），Ｗ１＝Ｈ２×ｔａｎ（ω１）で作製される。
【００２４】
図７は、図６Ｂに示す矢視Ｒ１−Ｒ１での受光部１００の断面を拡大して示した拡大断面図である。図７の斜線で示される断面のうち、略四角柱部の背面１００-2の下部に設けられる傾斜面１００-4形成領域より上側となる、透光性部材による略柱状の部分が入射した光を上方の出射面１００-3に導く、いわゆる導光部として作用する。以下、透光性部材による受光部形成部１０ａでの略柱状の部分を仮に「導光ブロック」ということにする。
この導光ブロックを、図８，図９Ａ及びＢを参照して説明する。
図８は、簡単のため図７に示す断面図を４つの領域Ａ〜Ｄに分割して示した説明図である。すなわち、受光部１００の断面を、長方形の領域Ａ，直角２等辺三角形の領域Ｂ，直角三角形の領域Ｃ及び多角形の領域Ｄに分割し示している。このうち、３つの領域Ａ〜Ｃで導光ブロックが形成される。
【００２５】
図９Ａ及びＢで１５０は導光ブロックを示し、図９Ａは一体形状の斜視図で、図９Ｂは分解してブロックの構成を示す斜視図である。
導光ブロック１５０は、図９Ｂに示すように、幅Ｗで奥行きＤをなす矩形断面を有し高さがＨの四角柱１５０ａと、２辺の長さがＤとＤ１（Ｄ１＝Ｄである）の直角二等辺三角形をなす断面を有し高さがＷの三角柱１５０ｂと、直角を挟む２辺の長さがＬ１とＬ２の直角三角形をなす断面を有し高さがＷの三角柱１５０ｃと、直角を挟む２辺の長さがＨ１と（Ｗ１−Ｗ）／２の直角三角形をなす断面を有し高さがＤの２つの三角柱１５０ｄ，１５０ｄと、から構成される。
そして、これらが、図９Ｂに示すように、四角柱１５０ａにおける所定位置に一体なされて図９Ａに示す導光ブロック１５０が形成される。
【００２６】
以下、導光ブロック１５０を有する本例の受光部１００を、より具体的な寸法例を示しながら図８及び図９を参照して説明する。
なお、以下では図８に示す断面は、受光部形成部１０ａの断面図として説明する。つまり、図８に示す領域Ａは図９Ｂに示す四角柱１５０ａ、領域Ｂは三角柱１５０ｂ、領域Ｃは三角柱１５０ｃのそれぞれ断面として説明する。従って、導光ブロック１５０をなす領域Ａ〜Ｃでは図８に示す紙面の前後方向に幅Ｗの厚さを有する。ここで、幅ＷはＷ＝８ｍｍとし、図に示す高さＨ１の範囲でも簡単のため厚さ一定（幅Ｗ）として説明する。
【００２７】
図８に示す領域Ａに対応する四角柱１５０ａは、縦ＨをＨ＝３１ｍｍ、横ＤをＤ＝１０ｍｍで、幅ＷがＷ＝８ｍｍをなす。また、領域Ｂに対応する三角柱１５０ｂは、２辺の長さＤ，Ｄ１をＤ＝Ｄ１＝１０ｍｍの直角二等辺三角形を底面とし高さＷがＷ＝８ｍｍをなす。さらに、領域Ｃに対応する三角柱１５０ｃは、直角を挟む２辺の長さＬ１，Ｌ２をＬ１＝１６．５ｍｍ，Ｌ２＝６ｍｍの直角三角形を底面とし高さＷがＷ＝８ｍｍをなし、このとき長さＬ２の辺の対角θはθ＝略２０°で斜辺Ｌ３はＬ３＝略１７．６ｍｍとなる。
そして、図８に示す領域Ａの長方形の下辺に、領域Ｂの直角二等辺三角形の長さＤの辺を配設し、領域Ｃの直角三角形を、その直角頂角を図の左側、直角頂角の対辺となる斜辺を図の右側にした状態とし、領域Ａの長方形の下辺の延長線上に直角頂角を配設する。
つまり、図９Ｂに示すように、先ず四角柱１５０ａの幅Ｗ奥行Ｄをなす底面に、三角柱１５０ｂの辺長Ｄ高さＷをなす側面１５０-2を配設し、前面１５０-1と辺長Ｄ１高さＷをなす側面１５０-3とが面一となるようにする。そして、四角柱１５０ａの前面１５０-1に対し、三角柱１５０ｃの辺長Ｌ３高さＷをなす斜面１５０-4を一体に設ける。
そして、三角柱１５０ｄ，１５０ｄを設け、図９Ａに示す導光ブロック１５０とする。
【００２８】
この図９Ａに示す導光ブロック１５０に対して、図８に示す紙面の前後にアウターフレーム１０の一部をなす平板状の透光性部材と一体に形成する。この透光性部材は、例えば高さＷがＷ＝５１ｍｍで、厚さｔ１がｔ１＝７ｍｍとする（図５Ａ参照）。このとき、導光ブロック１５０の図９Ａに示す前面１５０-1（一体化後の前面１００-1）を、図５Ａに示すように、透光性部材の前面１０-1より長さＴ１だけセットバックする。ここでＴ１は、例えばＴ１＝３ｍｍとする。
このアウターフレーム１０との一体化によって、図８に示す断面の領域Ｄが形成されて受光部１００が形成される。
【００２９】
このように導光ブロック１５０に対しアウターフレーム１０の透光性部材が形成された受光部１００は、図９Ｂに示す三角柱１５０ｃの一部が透光性部材から突設されて、図５Ａに示す２つの斜面１６-1，１６-2を有する取込部１６が形成される。そして、図６Ｃに示すように、下側の斜面１６-2を光信号の入射領域として用いるようにする。
この受光部１００の取込部１６に入射した光は、図８に示す紙面の前後のアウターフレーム１０の側に導かれるとそのまま導光ブロック１５０の側に戻ることのない無効な光となるため、入射した光は、透光部材の内部の導光ブロック１５０の空気との界面を全反射面として用いる必要がある。
なお、このとき三角柱１５０ｃの稜線の前面１０-1からの突設高さは略２．６ｍｍである。
【００３０】
このように形成した受光部１００の斜面１６-2に入射される光の経路を、図５，図８，図１０及び図１１を参照して説明する。なお、以下では、透光部材をアクリル樹脂とし屈折率を１．４９としている。
先ず、光の経路はシミュレーションにより得るようにするが、このとき上述した中心Ｏと、この中心Ｏを基準にＸ０Ｙ０Ｚ０座標系を次のように定める。すなわち、図５及び図８に示す斜面１６-2のｙ方向の長さ（高さ）を２ｈとし、この長さ２ｈを上下方向の振り分け、面１５０-1に直交する線を考え、この線上で面１５０-1からの深さＳの位置に中心Ｏを設定し、この中心Ｏを原点としてｚ方向で図８に示す左側をＺ０軸、ｙ方向で図８に示す上方をＹ０軸、ｘ方向で図８に示す紙面手前側をＸ０軸とする。
ここで、上述の諸元では２ｈ＝７．４ｍｍと算出され、またＳ＝３ｍｍと設定した。これにより、中心Ｏは、図９Ｂに示す三角柱１５０ｂの内部で、四角柱１５０ａの底面から下方にｈ＝３．７ｍｍ離れ、受光部１００の前面１００-1から６ｍｍの位置で、幅Ｗの中心面上に設定される（図８参照）。
【００３１】
図１０は、受光部１００の縦断面図の図７に、赤外線の受光素子２００を追加記載し、図６Ｃに示すＹ０Ｚ０平面上で照射角度ψ（＝＋１５°〜−３０°）での光路をシミュレーションした結果を示している。
斜面１６-2の傾斜角θが図８に示すように、θ＝２０°であるため、Ｚ０軸（ψ＝０）上の光は斜面１６-2の法線に対し２０°の角度（入射角）で入射し、入射後僅か上を向くように屈折してから直進し、傾斜面１００-4の領域Ｒの内面側で上方に反射され背面１００-2で再度反射されて出射面１００-3に至り、この出射面１００-3を屈折して飛び出し受光素子２００に入射する。
また、ψ＝＋１５°から入射した光は、斜面１６-2への入射角が３５°（＝θ＋１５°）となるので透光性部材への入射により大きく屈折してから直進し、傾斜面１００-4の領域Ｒの内面側で上方に反射されて透光性部材内を直進して出射面１００-3に至り、この出射面１００-3を屈折して飛び出し受光素子２００に入射する。
【００３２】
また、ψ＝−１０°から入射した光は、斜面１６-2への入射角が１０°（＝θ−１０°）で透光性部材への入射により屈折してから直進し、傾斜面１００-4の領域Ｒの内面側で上方に反射され背面１００-2で再度反射されて出射面１００-3に至り、この出射面１００-3を屈折して飛び出し受光素子２００に入射する。
また、ψ＝−２０°から入射した光は、斜面１６-2への入射角が０°（＝θ−２０°）で法線方向から透光性部材へ入射するので屈折することなく直進し、傾斜面１００-4の領域Ｒの内面側で上方に反射され背面１００-2で再度反射されたのち、前面１００-1でも反射されて出射面１００-3に至り、この出射面１００-3を屈折して飛び出し受光素子２００に入射する。
さらに、ψ＝−３０°から入射した光は、斜面１６-2への入射角が−１０°（＝θ−３０°）で透光性部材への入射により屈折してから直進し、傾斜面１００-4の領域Ｒの内面側で上方に反射され背面１００-2で再度反射されたのち、前面１００-1でも反射されて出射面１００-3に至り、この出射面１００-3を屈折して飛び出し受光素子２００に入射する。
【００３３】
このように、Ｘ０Ｚ０平面上でψ＝１５°〜−３０°の範囲の光の入射に対しては、斜面１６-2〜入射した光が傾斜面１００-4で上方に反射されて背面１００-2で再度反射されて出射面１００-3に至るようにされたり、背面１００-2で反射されたのち前面１００-1で反射されて出射面１００-3に至るようにされる。そして、この出射面１００-3から飛び出した光が受光素子２００に受光するようにする。
この導光ブロック１５０の領域での反射の過程では、導光ブロック１５０の空気との界面を全反射面として複数数回反射して、上方の出射面１００-3に至るようになされる。
【００３４】
図１１Ａ及びＢは、図６Ａに示すＸ０Ｚ０平面上における照射角度φでの光路をシミュレーションの説明図であり、図１１Ａは、図５に示す受光部形成部１０ａの斜視図に受光素子２００を追記し、図１１Ｂは、受光部１００の縦断面図の図７に赤外線の受光素子２００を追加記載し、光路を示したものである。
φ＝０°の角度から中心Ｏに向かう光はＺ０軸上を進むので、このときは上述図１０例におけるψ＝０°に対応するので説明を省略する。また、Ｚ０軸（φ＝０）に対し入射する角度φの範囲φ＝−４５°〜＋４５°は対称なのでφ＝０°〜＋４５°について説明する。
ここで角度φから入射した光の、斜面１６-2に対する入射角を図１２を参照して簡単に説明する。図１２Ａは、取込部１６の斜面１６-2に角度φから入射する光ｑを、この斜面１６-2の法線Ｑと、Ｚ０軸（ψ＝０，φ＝０）とともに示したものである。上述のように法線ＱとＺ０軸とはともにＹ０Ｚ０面内で、光ｑとＺ０軸とはともにＸ０Ｚ０面内とされ、光ｑの斜面１６-2への入射角ξは、法線Ｑと光ｑとがなす角度となる。
【００３５】
例えば、この光ｑの斜面１６-2への入射角ξは、次のように求めることができる。
Ｘ０Ｚ０面内での光ｑの斜面１６-2への入射角は、図１２Ａに示すように、斜面１６-2上の入射点をａとする。そして、点ａからＸ０軸に平行にＸ１軸、Ｙ０軸に平行でマイナスの方向（下向き）にＹ１軸を定める。そして、点ａからＺ０軸上でｒ離れた位置をｂとし、点ｂからＸ１軸に平行な線と光ｑの入射線との交点をｃとし、点ｂからＹ１軸に平行な線と法線Ｑとの交点をｄとする。
これにより、図１２Ｂに示すように、頂点ａｂｃｄからなり、頂点ｂで３辺が互いに直交する三角錐が得られる。そして、上述θはθ＝∠ｂａｄ，φはφ＝∠ｂａｃであり、入射角ξはξ＝∠ｃａｄとなる。これにより入射角度ξは、三平方の定理と三角形の余弦定理を用いて、ｃｏｓ（ξ）＝ｃｏｓ（θ）×ｃｏｓ（φ）なる関係から得ることができる。
そして、与えられた角度θと角度φから光ｑの入射角ξを算出することができる。
【００３６】
φ＝＋１０°から入射した光ｑは、斜面１６-2への入射角ξがξ＝２２．３°と算出され、図１１Ａに示すように、透光性部材への入射により大きく屈折してから直進し、傾斜面１００-4の領域Ｒの内面側で上方に反射され受光部１００の背面１００-2側に突設されている面１００-8と面１００-７とで反射されて出射面１００-3に至り、この出射面１００-3を屈折しながら飛び出し受光素子２００に入射する。このとき、Ｙ０Ｚ０平面への投影像で見たとき光ｑは斜面１６-2の法線に対し２０°（＝θ）となるため、図１１Ｂでの光路は、図１０例でのψ＝０°と略同じとなされる。
また、φ＝＋２５°から入射した光ｑは、斜面１６-2への入射角ξがξ＝３１．６°と算出され、図１１Ａに示すように、透光性部材への入射により大きく屈折してから直進し、傾斜面１００-4の領域Ｒの内面側で上方に反射されてから受光部１００の背面１００-2側に突設されている面１００-6と面１００-8とで反射されて出射面１００-3に至り、この出射面１００-3を屈折しながら飛び出し受光素子２００に入射する。
さらに、図示しないが、略２５°より大きな角度φから入射し中心Ｏに向かう光ｑは、本例の受光部１００形状では取込部１６の右三角形側面から透光性部材に入射する。そして、この側面から入射してから大きく屈折してから直進し、傾斜面１００-4の領域Ｒの内面側で複数回斜め上方に反射されて出射面１００-3に至り、この出射面１００-3を屈折しながら飛び出し受光素子２００に入射する。
【００３７】
なお、上述では、斜面１６-2に入射する光ｑが、Ｙ０Ｚ０平面上又はＸ０Ｚ０平面上から中心Ｏに向かって行くもので説明したが、これに限らず所定の入射範囲、Ｘ０Ｚ０平面への投影像での角度φが−４５°〜＋４５°、Ｙ０Ｚ０平面への投影像での角度ψが＋１５〜−３０°の範囲内から投光されたのであれば傾斜面１００-4で上方に反射されて内部で反射を繰返し、結局出射面１００-3に至り、この出射面１００-3を屈折して飛び出し、受光素子２００に入射させることができる。
また、本例では、Ｘ０Ｙ０Ｚ０座標の原点となる中心Ｏを、図８に示すように、導光ブロック１５０の前面１５０-1からの距離Ｓ（Ｓ＝３ｍｍ）だけ離れた位置とし、図8に示す四角柱１５０ａの矩形断面の中心からずれるように設定している。このため、受光素子２００の中心軸と四角柱１５０ａの矩形断面の中心とをそのまま一致させると、受光素子２００へ入射する光の量が減るため、本例では図１０及び図１１Ｂに示すように、出射面１００-3に僅か傾斜させて設け、十分な光が入射するようにしている。
この導光ブロック１５０の領域での反射の過程でも、導光ブロック１５０の空気との界面を全反射面として複数数回反射して、上方の出射面１００-3に至るようになされる。
【００３８】
本例の装置は、アウターフレーム１０の透光性部材に導光ブロック１５０が一体に形成されて受光部１００が構成され、前面１０-1側に設けられる断面が略直角三角形をなす三角柱が突設された取込部１６の斜面１６-2に向けて光を照射すると、この取込部１６から入射した光がこの受光部１００の内部で導光ブロック１５０の空気との界面を反射面として複数数回反射して、上方の出射面１００-3に至り、この出射面１００-3から出射した光が受光素子２００に受光して、光信号を電気信号に変換する。そして、ユーザーによるリモートコントロール操作に対応する所望の動作を装置に行なわせることができる。
【００３９】
次に、本発明の他の実施の形態の映像表示装置の受光部形成部の例を、図１３Ａ〜Ｃを参照して説明する。
図１３例の受光部形成部は、図５及び図６例の受光部形成部１０ａの導光ブロックが透光性部材の成形時に一体に形成されるのに対し、受光素子２００への導光部材が別部品として後から接合するようにしたものである。
【００４０】
図１３Ａは本例の受光部形成部の側断面図で、図１３Ｂ及びＣは、本例の受光部形成部をアウターフレームの側で破断し拡大して示した斜視図で、図１３Ｂは前面側から見た要部拡大斜視図で、図１３Ｃは背面側から見た要部拡大斜視図である。
図１３Ａ〜Ｃで１６，１６０は、それぞれ取込部と導光部材を示し、図１３Ａに示すように、アウターフレーム１０の受光部形成部では、その透光性部材に対し、図１３Ａの左に示す前面１０-1側に取込部１６のみが一体に突設され、この取込部１６に対応する背面１０-2側に断面が矩形形状で浅い縦溝１０ｂが、上面１０-3から下方の途中まで設けられる。
ここで、透光性部材の図１３Ａの前面１０-1側には、図１３Ｂに示すように、図５例におけるセットバック（凹溝）は設けられない。また、図１３に示す取込部１６は、図９に示す三角柱１５０ｃに対応するものであり、断面が直角三角形をなす三角柱が、図１３Ｂに示す透光性部材の前面１０-1上に横臥するように突設される。また、背面１０-2に設けられる縦溝１０ｂは、その幅が導光部材１６０の図１３Ｃに示す幅Ｗより僅か大きく形成される。
【００４１】
透光性部材と同じ材料から形成される導光部材１６０は、上述図９Ｂに示す四角柱１５０ａ（領域Ａ）と傾斜面１００-4を有する三角柱１５０ｂ（領域Ｂ）と、四角柱１５０ａの上部に設けられる２つの三角柱１５０ｄとが一体に形成された形状をなすものである。
そして、透光性部材の背面１０-2の縦溝１０ｂに導光部材１６０が、透光性部材と同一の樹脂系の接着剤で接合される（図１３Ｂ及びＣ）。このとき、導光部材１６０の接合位置は、取込部１６に対する傾斜面１００-4の位置が、図８に示す位置関係と略同一とされる。
なお、このアウターフレーム１０の縦溝１０ｂへの導光部材１６０の接合では、両部材による図１３Ａに示す接合面３０における透光性が問題となるが、例えば、透光性部材と導光部材１６０とがアクリル樹脂から形成されているときは、専用の接着剤（溶剤）によりアクリル樹脂同士を溶かし両部材に境界面がないように直接接合することができる。このため、導光部材１６０をアウターフレーム１０に一体に設けたと同様の透明度・強度を接合面にもたせることができ、この部分での透光性の劣化、光の屈折などは問題とならない。
【００４２】
図１３例の受光部形成部を備えたアウターフレームを有する装置でも、上述図５及び図６例を用いたときと同様の作用効果を奏することは勿論である。
【００４３】
本例の装置によれば、液晶パネルなどのフラットディスプレイパネルに対して透明な枠状のアウターフレーム１０を設けこのアウターフレーム１０の外縁にサッシ２０を設け、室内空間と一線を隔するようにしている。そして、映像画面を視認したときに映像画面が宙に浮いたような状態に見え、視聴者にデザイン的に開放的な感覚を与えることができる。
【００４４】
尚、本発明は上述例に限ることなく本発明の要旨を逸脱することなくその他種々の構成が採り得ることは勿論である。例えば、上述した実施の形態の場合には、映像表示装置を例にして説明したが、赤外線信号などの光信号を受光して操作される装置であれば、その他の各種電子機器にも適用可能である。
【図面の簡単な説明】
【００４５】
【図１】本発明の一実施の形態によるフロント組立体の例を示す前面側から見た斜視図である。
【図２】本発明の一実施の形態によるフロント組立体の例を示す前面側から見た分解斜視図である。
【図３】本発明の一実施の形態による映像表示装置の例を示した斜視図である。
【図４】図３の背面側から見た斜視図である。
【図５】本発明の一実施の形態の例による受光部形成部を、アウターフレームの要部を破断し拡大して示しており、Ａは前面側から見た要部拡大斜視図、Ｂは背面側から見た要部拡大斜視図である。
【図６】図５例の受光部形成部の三面図の、Ａは平面図、Ｂは正面図、ＣはＢに示すＲ２−Ｒ２による側断面図である。
【図７】図６Ｂ例の受光部形成部のＲ１−Ｒ１による側断面図である。
【図８】図７例の断面形状と導光部の構成を説明するための説明図である。
【図９】図８例の導光部で導光の主体となる導光ブロックを示し、Ａは導光ブロックの斜視図で、Ｂは導光ブロックを構成する要素を分解して示す説明図である。
【図１０】一実施の形態の光信号取込部に照射される光のシミュレーションによる導光部内での光路を側断面図上に示した説明図である。
【図１１】一実施の形態の光信号の取込部に照射される光のシミュレーションによる導光部内での光路を示す説明図で、Ａは受光部形成部での光路例を示す斜視図で、Ｂは光路を側断面図上に示した説明図である。
【図１２】一実施の形態の光信号の取込部に入射する光の斜面に対する入射角の説明図で、Ａは斜面に規定した基準の説明図、ＢはＡから抽出した三角錐の説明図である。
【図１３】本発明の他の実施の形態の例による受光部形成部を、アウターフレームの要部を破断し拡大して示しており、Ａは受光部形成部の側断面図、Ｂは前面側から見た要部拡大斜視図、Ｃは背面側から見た要部拡大斜視図である。
【符号の説明】
【００４６】
１０-1，１００-1…前面、１０-2，１００-2…背面、１６…取込部、１００…受光部１００-3…出射面、１００-4…傾斜面、２００…受光素子
【図１】
0004626519.tif 000002
【図２】
0004626519.tif 000003
【図３】
0004626519.tif 000004
【図４】
0004626519.tif 000005
【図５】
0004626519.tif 000006
【図６】
0004626519.tif 000007
【図７】
0004626519.tif 000008
【図８】
0004626519.tif 000009
【図９】
0004626519.tif 000010
【図１０】
0004626519.tif 000011
【図１１】
0004626519.tif 000012
【図１２】
0004626519.tif 000013
【図１３】
0004626519.tif 000014